(57)【特許請求の範囲】
【請求項１】
複数のサブキャリアを使用し、同一の通信フレーム内においてデータと該データを復調するための制御情報とを伝送するための複数のスロットを有し、前記制御情報に、少なくとも、各サブキャリアの変調方式を受信側に通知するための変調方式情報を含んでいる無線通信システムに用いられる復調器であって、
同じ通信フレームに属する個々のスロットに対して、前記変調方式情報に相当する受信信号の振幅成分と位相成分とを、ベクトル加算するベクトル加算変調方式情報生成手段と、
ベクトル加算を行った前記変調方式情報を、同一の通信フレーム内に存在する個々のスロット中のデータに相当する各サブキャリアを復調する際の変調方式情報として使用するデータ復調手段と、を備え
前記ベクトル加算変調方式情報生成手段は、伝搬路補償された変調方式情報を用いて、ベクトル加算変調方式情報を生成するベクトル加算変調方式情報生成手段を備えることを特徴とする復調器。
【請求項２】
前記変調方式情報は、
同一のフレーム内において、スロット毎に異なるサブキャリアに割り当てられて送信され、
前記ベクトル加算変調方式情報は、前記スロット毎に異なるサブキャリアに割り当てられた変調方式情報を用いて生成することを特徴とする請求項１に記載の復調器。
【請求項３】
複数のサブキャリアを使用し、同一の通信フレーム内においてデータと該データを復調するための制御情報とを伝送するための複数のスロットを有し、前記制御情報に、少なくとも、各サブキャリアの変調方式を受信側に通知するための変調方式情報を含んでいる無線通信システムに用いられる復調器であって、
同一の通信フレームに属する個々のスロットに対して、前記変調方式情報に相当する受信信号をシンボル復調し、前記シンボル復調された個々のスロットの変調方式情報の各ビット列をそれぞれ比較してビット列毎に多数決によりビットを決定し、決定した前記各ビットを組み合わせたビット配置を、各サブキャリアの復調時に変調方式情報として使用するデータ復調手段と、を有し、
更に、前記変調方式情報は、同一のフレーム内において、スロット毎に異なるサブキャリアに割り当てられて送信され、前記多数決の判定に使用する変調方式情報は、前記スロット毎に異なるサブキャリアに割り当てられた変調方式情報を用いることを特徴とする復調器。
【請求項４】
複数のサブキャリアを使用し、同一の通信フレーム内においてデータと該データを復調するための制御情報とを伝送するための複数のスロットを有し、前記制御情報に、少なくとも、各サブキャリアの変調方式を受信側に通知するための変調方式情報を含んでいる無線通信システムに用いられる復調器であって、
同一の通信フレームに属する個々のスロットに対して、前記変調方式情報に相当する受信信号をシンボル復調し、前記シンボル復調された個々のスロットの変調方式情報の各ビット列をそれぞれ比較してビット列毎に多数決によりビットを決定し、決定した前記各ビットを組み合わせたビット配置を、各サブキャリアの復調時に変調方式情報として使用するデータ復調手段と、を有し、
更に、前記変調方式情報は、同一のフレーム内において、スロット毎に異なるビット配置に並び替えられて送信され、
前記多数決の判定に使用する変調方式情報は、前記スロット毎にビット配置に並び替えられた変調方式情報を、元の配置に復元して用いることを特徴とする復調器。
【請求項５】
前記サブキャリアの個々のスロットにおける割り当て方法は、
第１のステップで、初回に割り当てたスロットにおいて、前記変調方式情報を割り当てたサブキャリアを、周波数帯域を基準として第１のサブキャリアブロックと第２のサブキャリアブロックとに分割し、
第２のステップで、前記第１のサブキャリアブロックと前記第２のサブキャリアブロックの周波数帯域を交換し、
第３のステップで、周波数帯域交換後の前記第１のサブキャリアブロックと交換後の前記第２のサブキャリアブロックを次のスロットに割り当て、
第４のステップで、前記第３のステップで割り当てた各サブキャリアブロック内において、周波数帯域を基準として第３のサブキャリアブロックと、第４のサブキャリアブロックと、に分割し、
第５のステップで、前記第３のサブキャリアブロックと前記第４のサブキャリアブロックとの周波数帯域を交換し、
第６のステップで、周波数帯域交換後の前記第３のサブキャリアブロックと周波数帯域交換後の前記第４のサブキャリアブロックとを次のスロットに割り当て、
さらに、前記第４のステップから前記第６のステップまでを繰り返すことを特徴とする請求項２又は３に記載の復調器。
【請求項６】
請求項１から請求項５までのいずれか１項に記載の復調器を備えた受信装置と、
請求項１から請求項５までのいずれか１項に記載の復調器が受信する信号を変調する変調器を備えた送信装置と、を有する無線通信機。
【請求項７】
複数のサブキャリアを使用し、同一の通信フレーム内においてデータと該データを復調するための制御情報とを伝送するための複数のスロットを有し、前記制御情報に、少なくとも、各サブキャリアの変調方式を受信側に通知するための変調方式情報を含んでいる無線通信システムであって、
同じ通信フレームに属する個々のスロットに対して、前記変調方式情報に相当する受信信号の振幅成分と位相成分とを、ベクトル加算するベクトル加算変調方式情報生成手段と、
ベクトル加算を行った前記変調方式情報を、同一の通信フレーム内に存在する個々のスロット中のデータに相当する各サブキャリアを復調する際の変調方式情報として使用するデータ復調手段と、を有し、
さらに、前記制御情報に、スロット毎に前記変調方式情報を構成するシンボルの並び替え情報を受信側に通知するための並び替え順序通知情報を含んでいることを特徴とする無線通信システム。
【請求項８】
請求項７に記載の無線通信システムに用いられる変調器であって、
通信相手先との各サブキャリアの伝播路状態を示す伝播路推定結果を入力情報として受信する機能を備え、前記伝播路推定結果を用い、各サブキャリアの伝播路状態に応じて前記変調方式情報をいずれのサブキャリアに割り当てるかを選択するサブキャリア選択手段を備えることを特徴とする変調器。
【請求項９】
前記伝播路推定結果は、受信側から送られてきたスロットより推定された各サブキャリアの伝播路特性であることを特徴とする請求項８に記載の変調器。
【請求項１０】
さらに、前記サブキャリア選択手段は、
予め設定された複数の前記変調方式情報の配列パターンから選択して、サブキャリアを割り当てることを特徴とする請求項８に記載の変調器。
【請求項１１】
さらに、前記サブキャリア選択手段は、予め設定された複数の前記変調方式情報の配列パターンから選択して、最初のスロットで前記選択した変調方式情報の配列パターンを通信相手先に通知することを特徴とする請求項９に記載の変調器。
【請求項１２】
請求項７に記載の無線通信システムに用いられる復調器であって、
前記並び替え順序通知情報を受信し、前記並び替え順序通知情報に基づいて、個々のスロットの変調方式情報のシンボルを、元の配置に復元するように並び替えて各サブキャリアの復調時に変調方式情報として使用することを特徴とする復調器。
【請求項１３】
請求項８から１１までのいずれか１項に記載の変調器を有する送信装置と、請求項１２に記載の復調器を有する受信装置と、を含む無線通信機。
【請求項１４】
複数のサブキャリアを使用し、同一の通信フレーム内においてデータと該データを復調するための制御情報とを伝送するための複数のスロットを有し、前記制御情報に、少なくとも、各サブキャリアの変調方式を受信側に通知するための変調方式情報を含んでいる無線通信システムにおける復調方法であって、
同じ通信フレームに属する個々のスロットに対して、前記変調方式情報に相当する受信信号の振幅成分と位相成分とを、ベクトル加算するベクトル加算変調方式情報生成ステップと、
ベクトル加算を行った前記変調方式情報を、同一の通信フレーム内に存在する個々のスロット中のデータに相当する各サブキャリアを復調する際の変調方式情報として使用するデータ復調ステップと、を備え、
前記変調方式情報は、同一のフレーム内において、スロット毎に異なるサブキャリアに割り当てられて送信され、前記ベクトル加算変調方式情報は、前記スロット毎に異なるサブキャリアに割り当てられた変調方式情報を用いて生成されることを特徴とする復調方法。
【請求項１５】
複数のサブキャリアを使用し、同一の通信フレーム内においてデータと該データを復調するための制御情報とを伝送するための複数のスロットを有し、前記制御情報に、少なくとも、各サブキャリアの変調方式を受信側に通知するための変調方式情報を含んでいる無線通信システムにおける変調方法であって、
通信相手先との各サブキャリアの伝播路状態を示す伝播路推定結果を入力情報として受信するステップと、前記伝播路推定結果を用い、各サブキャリアの伝播路状態に応じて前記変調方式情報をいずれのサブキャリアに割り当てるかを選択するサブキャリア選択ステップと、を備えることを特徴とする変調方法。
【請求項１６】
複数のサブキャリアを使用し、同一の通信フレーム内においてデータと該データを復調するための制御情報とを伝送するための複数のスロットを有し、前記制御情報に、少なくとも、各サブキャリアの変調方式を受信側に通知するための変調方式情報を含んでおり、前記変調方式情報は、同一のフレーム内において、スロット毎に異なるサブキャリアに割り当てられて送信させる無線通信システムに用いられる復調器であって、
同じ通信フレームに属する個々のスロットに対して、スロット毎に異なるサブキャリアに割り当てられて送信される前記変調方式情報を、元の順序に並べ替えるデータ並べ替え手段と、
前記データ並べ替え手段により並べ替えられた信号の振幅成分と位相成分とを、ベクトル加算するベクトル加算変調方式情報生成手段と、
ベクトル加算を行った前記変調方式情報を、同一の通信フレーム内に存在する個々のスロット中のデータに相当する各サブキャリアを復調する際の変調方式情報として使用するデータ復調手段とを備える復調器。
【請求項１７】
複数のサブキャリアを使用し、同一の通信フレーム内においてデータと該データを復調するための制御情報とを伝送するための複数のスロットを有し、前記制御情報に、少なくとも、各サブキャリアの変調方式を受信側に通知するための変調方式情報を含んでいる無線通信システムに用いられる復調器であって、
同じ通信フレームに属する個々のスロットに対して、前記変調方式情報に相当する受信信号に対して伝搬路補償を行う伝搬路補償手段と、
伝搬路補償された信号の振幅成分と位相成分とを、ベクトル加算するベクトル加算変調方式情報生成手段と、
ベクトル加算を行った前記変調方式情報を、同一の通信フレーム内に存在する個々のスロット中のデータに相当する各サブキャリアを復調する際の変調方式情報として使用するデータ復調手段とを備える復調器。
【請求項１８】
複数のサブキャリアを使用し、同一の通信フレーム内においてデータと該データを復調するための制御情報とを伝送するための複数のスロットを有し、前記制御情報に、少なくとも、各サブキャリアの変調方式を受信側に通知するための変調方式情報を含んでおり、前記変調方式情報は、同一のフレーム内において、スロット毎に異なるサブキャリアに割り当てられて送信させる無線通信システムに用いられる復調器であって、
同じ通信フレームに属する個々のスロットに対して、スロット毎に異なるサブキャリアに割り当てられて送信される前記変調方式情報を、元の順序に並べ替えるデータ並べ替え手段と、
前記データ並べ替え手段により並べ替えられた信号をシンボル復調するシンボル復調手段と、
前記シンボル復調された個々のスロットの変調方式情報の各ビット列をそれぞれ比較してビット列毎に多数決によりビットを決定し、決定した前期ビットを組み合わせたビット配置を、各サブキャリアの復調時に変調方式情報として使用することを特徴とする復調器。
【請求項１９】
複数のサブキャリアを使用し、同一の通信フレーム内においてデータと該データを復調するための制御情報とを伝送するための複数のスロットを有し、前記制御情報に、少なくとも、各サブキャリアの変調方式を受信側に通知するための変調方式情報を含んでおり、前記変調方式情報は、同一のフレーム内において、スロット毎に異なるビット配置で送信させる無線通信システムに用いられる復調器であって、
同じ通信フレームに属する個々のスロットに対して、スロット毎に異なるビット配置で送信される前記変調方式情報を、元の順序に並べ替えるビットデータ並べ替え手段と、
前記ビットデータ並べ替え手段により並べ替えられた個々のスロットの変調方式情報の各ビット列をそれぞれ比較してビット列ごとに多数決によりビットを決定し、決定した前記各ビットを組み合わせたビット配置を、各サブキャリアの復調時に変調方式情報として使用することを特徴とする復調器。
【請求項２０】
複数のサブキャリアを使用し、同一の通信フレーム内においてデータと該データを復調するための制御情報とを伝送するための複数スロットを有し、前記制御情報に、少なくとも、各サブキャリアの変調方式を受信側に通知するための変調方式情報を含んでおり、前記変調方式情報は、同一のフレーム内において、スロット毎に異なるサブキャリアに割り当てられて送信させる無線通信システムに用いられる復調方法であって、
同じ通信フレームに属する個々のスロットに対して、スロット毎に異なるサブキャリアに割り当てられて送信される前記変調方式情報を、元の順序に並べ替えるデータ並べ替えステップと、
前記データ並べ替え手段により並べ替えられた信号の振幅成分と位相成分とを、ベクトル加算するベクトル加算変調方式情報生成ステップと、
ベクトル加算を行った前記変調方式情報を、同一の通信フレーム内に存在する個々のスロット中のデータに相当する各サブキャリアを復調する際の変調方式情報として使用するデータ復調ステップとを備える復調方法。
【発明の詳細な説明】
【技術分野】
【０００１】
本発明は、無線通信システムに用いる直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：以下、ＯＦＤＭと呼称）伝送方式に適用されるＯＦＤＭ送受信装置に関する。
【背景技術】
【０００２】
ＯＦＤＭはマルチキャリア変調方式の一種で、従来のシングルキャリア変調方式に比べて、障害物により伝搬路が錯綜した場合に発生するマルチパスフェージングに対して、耐性が大きいという特徴がある。【０００３】
しかしながら、ＯＦＤＭ信号であっても、マルチパスフェージングにより、図１９に示すように特定周波数のサブキャリアの受信電力が低下して、所望の信号波対雑音電力比（Ｓｉｇｎａｌ  ｔｏ  Ｎｏｉｓｅ  Ｐｏｗｅｒ  Ｒａｔｉｏ：以下、ＳＮＲと呼称）が得られない場合には、一部のデータが復調不能となり、システムとしての伝送容量が低下する。【０００４】
このような問題に対しては、従来は図２０から図２２までに示すような対策が採られてきた。【０００５】
（１）第１の対策は、図２０に示すように、送信側（図示左）と受信側（図示右）間の各サブキャリアの伝搬路特性を基に、マルチパスフェージングによる受信電力の減衰を、補償する形で各サブキャリアの送信電力を調整するサブキャリア送信電力制御方式である。【０００６】
（２）第２の対策は、図２１に示すように、マルチパスフェージングにより受信電力の減衰が大きいサブキャリアは低い多値数の変調方式、小さいサブキャリアは高い多値数の変調方式で伝送する適応変調方式である。【０００７】
（３）第３の対策は、図２２に示すように、適応変調を行うと共に、データを伝送するサブキャリアの送信電力を、所望のＳＮＲを得られるように調整するマルチレベル送信電力制御方式（Ｍｕｌｔｉｌｅｖｅｌ  Ｔｒａｎｓｍｉｔ  Ｐｏｗｅｒ  Ｃｏｎｔｒｏｌ：以下、「ＭＴＰＣ方式」と称する。）である。【０００８】
上記第１から第３までの３つの対策のうち、送信電力の最大値等についての制限、サブキャリアの効率的な利用という観点から、マルチパスフェージングへの対策としては、３番目のＭＴＰＣ方式が注目されている。【０００９】
図２３は、ＯＦＤＭ／ＭＴＰＣ方式により伝送される場合のフレームフォーマットの一構成例を示す図である。図２３に示すように、伝送フレーム２０１は、１０個のスロット２０２−１〜２０２−１０により構成され、さらに各スロット２０２−１〜２０２−１０は、大きく分けて同期／制御データ部２０３と、ユーザデータ部２０４と、の２つの部分から構成されている。【００１０】
ＯＦＤＭ／ＭＴＰＣ方式の特徴である各サブキャリアの変調方式と、各サブキャリアの送信電力を定義する「伝搬路の推定に用いられる受信側に既知の伝搬路推定用データ列２０５（Ｃｈａｎｎｅｌ  Ｅｓｔｉｍａｔｉｏｎ  ｗｏｒｄ：以下、ＣＥと称する。）」と、「ユーザデータを送信する各サブキャリアの変調方式を受信側に通知するための変調方式情報２０６（Ｍｏｄｕｌａｔｉｏｎ  Ｌｅｖｅｌ  Ｉｎｆｏｒｍａｔｉｏｎ：以下、ＭＬＩと称する。）」は、同期／制御データ部２０３に含まれる。尚、ＭＬＩは通常フレーム毎に更新される。【００１１】
図２３に示すフレームフォーマットの信号を送信する場合、ＯＦＤＭ／ＭＴＰＣ方式は、同期／制御データ部のサブキャリアの変調方式と、各サブキャリアの送信電力とを、以下のようにする。【００１２】
（１）全てのサブキャリアの変調方式は、ＢＰＳＫ等の雑音に対する耐性が大きく、信頼性の高い変調方式に統一する。【００１３】
（２）ＣＥデータを送るときは、各サブキャリアの送信電力を全て等しくする。ＭＬＩデータを送る時は、サブキャリア毎に受信側で所望の受信ＣＮＲが得られるように、伝搬路の品質に応じて各サブキャリアの送信電力を調整する。【００１４】
ユーザデータ部のサブキャリアの変調方式と、各サブキャリアの送信電力を以下のようにして送信する。【００１５】
（１）サブキャリア毎の変調方式は、同期／制御データ部のＭＬＩで指定された変調方式とする。【００１６】
（２）サブキャリア毎に受信側で所望の受信ＣＮＲが得られるように、伝搬路の品質に応じて各サブキャリアの送信電力を調整する。【００１７】
（３）伝搬路の品質が極めて悪いサブキャリアには送信電力を与えず、キャリアホールとしてよい。【００１８】
ＯＦＤＭ／ＭＴＰＣ通信システムの通信機の構成を図２４に示す。ＲＦ信号は、受信アンテナ２１１と、ＲＦ信号をダウンコンバートするＲＦダウンコンバータ２１２とを経て、ＯＦＤＭ／ＭＴＰＣ復調回路２０９に入力される。【００１９】
そしてＯＦＤＭ／ＭＴＰＣ復調回路２０９は、ＲＦダウンコンバータ出力２１２をアナログ信号からデジタル信号に変換するアナログ／デジタル変換回路２１３と、アナログ／デジタル変換回路２１３の出力を、図２３に示すスロットの構成に合わせてＣＥデータ部２０５、ＭＬＩシンボル部２０６、及びユーザデータシンボル部２０４にそれぞれ分離して出力するデマルチプレクサ２１４と、デマルチプレクサ２１４の出力を、フーリエ変換するＦＦＴ回路２１５−１〜２１５−３と、フーリエ変換回路２１５−１によって再生された受信ＣＥデータと、参照用ＣＥデータを比較し、各サブキャリアの伝搬路の品質を推定する伝搬路推定回路２１６と、フーリエ変換回路２１５−２によって再生された受信ＭＬＩシンボルに対して、伝搬路推定回路２１６の推定結果に基づいて、伝搬路補償を行う伝搬路補償回路２１７と、伝搬路補償回路２１７によって伝搬路補償された受信ＭＬＩシンボルから、ＭＬＩデータを復調するシンボル復調回路２１８と、復調されたＭＬＩに基づき、ユーザデータの各サブキャリアの復調方式を指定する復調方式指定回路２１９と、フーリエ変換回路２１５−３によって再生された受信ユーザデータシンボルに対して、伝搬路推定回路２１６の推定結果に基づいて、伝搬路補償を行う伝搬路補償回路２２０と、伝搬路補償回路２２０で伝搬路補償を施された受信ユーザデータシンボルを、復調方式指定回路２１９の指定する各サブキャリアのユーザデータシンボル部の復調方式で復調するシンボル復調回路２２１と、シンボル部復調回路２２１で復調された符号化ユーザデータに対して、誤り訂正、伸張処理を行い、ユーザデータを復号する復号回路２２２と、を含んで構成されている。【００２０】
図２４に示す回路の中で、ＣＥ、ＭＬＩ、ユーザデータを復調する部分を以下のようにまとめることができる。【００２１】
（１）ＦＦＴ回路２１５−１から構成されるＣＥ復調部。【００２２】
（２）ＦＦＴ回路２１５−２と伝搬路補償回路２１７とシンボル復調回路２１８から構成されるＭＬＩ復調部２２３。【００２３】
（３）ＦＦＴ回路２１５−３と伝搬路補償回路２２０とシンボル復調回路２２１と復号回路２２２から構成されるユーザデータ復調部２２４。【００２４】
ＯＦＤＭ／ＭＴＰＣ変調回路２１０は、以下の構成を含む。【００２５】
（１）ＯＦＤＭ／ＭＴＰＣ復調回路２０９の伝搬路推定回路２１６の各サブキャリアに対する伝搬路推定結果に基づき、ユーザデータ送信時の各サブキャリアの送信電力、ユーザデータ送信時の各サブキャリアの変調方式を決定する変調方式送信電力指定回路２２５。【００２６】
（２）ユーザデータの圧縮符号化、誤り訂正符号の付加等の処理を行う符号化回路２２６。【００２７】
（３）変調方式送信電力指定回路２２５で決定された各サブキャリアの変調方式に基づき、符号化回路２２６で符号化されたユーザデータを変調するシンボル変調回路２２７。【００２８】
（４）シンボル変調回路２２７の変調信号出力を、サブキャリア毎に変調方式送信電力指定回路２２５で決定された値に調整する送信電力制御回路２２８。【００２９】
（５）送信電力制御回路２２８の出力を逆フーリエ変換するＩＦＦＴ回路２２９。【００３０】
（６）変調方式送信電力指定回路２２５で決定されたユーザデータ送信時の各サブキャリアの変調方式に基づき、ＭＬＩを生成するＭＬＩ生成回路２３０。【００３１】
（７）ＭＬＩ生成回路２３０で生成されたＭＬＩを変調するシンボル変調回路２３１。【００３２】
（８）シンボル変調回路２３１の変調信号出力を、サブキャリア毎に変調方式送信電力指定回路２２５で決定された値に調整する送信電力制御回路２３２。【００３３】
（９）送信電力制御回路２３２の出力を逆フーリエ変換するＩＦＦＴ回路２３３。【００３４】
（１０）ＣＥを生成するＣＥ生成回路２３４。【００３５】
（１１）ＣＥ生成回路２３４で生成されたＣＥを、逆フーリエ変換するＩＦＦＴ回路２３５。【００３６】
（１２）３つのＩＦＦＴ回路（２２９、２３３、２３５）の出力を、図２５のスロットの構成となるように、多重するマルチプレクサ２３６。【００３７】
（１３）マルチプレクサ２３６の出力を、デジタル信号からアナログ信号に変換するデジタル／アナログ変換回路２３７。【００３８】
図２４に示す上記の回路の中で、ＣＥ、ＭＬＩ、ユーザデータを変調する部分を以下のようにまとめることができる。【００３９】
（１）ＣＥ生成回路２３４とＩＦＦＴ回路２３５から構成されるＣＥ変調部２３８。【００４０】
（２）ＭＬＩ生成回路２３０とシンボル変調回路２３１と送信電力制御回路２３２とＩＦＦＴ回路２３３から構成されるＭＬＩ変調部２３９。【００４１】
（３）符号回路２２６とシンボル変調回路２２７と送信電力制御回路２２８とＩＦＦＴ回路２２９から構成されるユーザデータ変調部２４０。【００４２】
そしてＯＦＤＭ／ＭＴＰＣ変調回路２１０の出力は、アップコンバータ２４１、送信用アンテナ２４２を経て送信される。
【発明の開示】
【発明が解決しようとする課題】
【００４３】
ＭＬＩは基本情報であり、全てのサブキャリアを用いて伝送しなければならない。伝搬路特性の落込み箇所などに存在するサブキャリアに対しては、所要の受信ＳＮＲが得られるように多くの送信電力を与える必要がある。【００４４】
しかしながら、送信電力制御回路は、送信電力指定信号に応じた係数を乗算して振幅を変化させ電力を制御しているが、デジタル回路でありそのために乗算係数や乗算結果等のデータはあるビット幅を持つ。従って、電力を制御できる範囲にはある一定の限界がある。【００４５】
そのため、十分な送信電力を与えることができず、ＢＰＳＫの所要ＳＮＲでさえも満足させることができない場合もある。このような場合、受信機がＭＬＩの復調に失敗し、データの復調ができないために、送信機が受信に失敗したスロットの再送を繰り返すことになり、システム全体としてのデータ伝送効率が低下してしまう。【００４６】
本発明は、上記問題点に鑑み、ＯＦＤＭ／ＭＴＰＣ方式を使用する無線通信システムにおいて、ＭＬＩの復調成功確率の向上が可能なＯＦＤＭ送受信器を提供することを目的とする。
【非特許文献１】２００３年電子情報通信学会総合大会「マルチレベル送信電力制御を適用した１セル繰り返しのＯＦＤＭ適応変調／ＴＤＭＡシステムにおける干渉対策に関する検討」
【課題を解決するための手段】
【００４７】
本発明の一観点によれば、復調回路にＭＬＩに対する雑音等の影響軽減手段として、同一フレーム内の複数スロットのＭＬＩシンボルをベクトル加算するベクトル加算ＭＬＩ生成手段を備え、このベクトル加算ＭＬＩをユーザデータ復調時のＭＬＩに使用することを特徴としている（方式１）。【００４８】
また、前記方式１のベクトル加算ＭＬＩ手段は、伝搬路補償されたＭＬＩシンボルを用いてベクトル加算ＭＬＩを生成することを特徴としている（方式２）。また、前記方式２のベクトル加算ＭＬＩ手段は、スロット毎に異なるサブキャリアにデータを割り当てて送信されたＭＬＩを用いることを特徴とする（方式３）。また、復調回路に復調成功率の改善手段として、同一フレーム内の複数スロットのＭＬＩデータビット列を比較して多数決判定を行う多数決判定回路を備えることを特徴とする（方式４）。【００４９】
また、前記方式４の多数決判定手段は、スロット毎に異なるサブキャリアにデータを割り当てて送信されたＭＬＩを用いることを特徴とする（方式５）。【００５０】
また、前記方式４の多数決判定手段は、スロット毎にデータビット列を並べ替えて送信されたＭＬＩを用いることを特徴とする（方式６）。【００５１】
また、前記方式３および方式５のデータ割り当てサブキャリア選択手段は、送受信器で既知の並べ替え方式で並べ替えることを特徴とするサブキャリア選択方式である（方式７）。【００５２】
また、前記方式３および方式５のデータ割り当てサブキャリア選択手段は、受信側から送られてきたスロットより推定された伝搬路特性を用いることを特徴とする（方式８）。【００５３】
また、前記方式８のデータ割り当てサブキャリア選択手段は、受信側にデータを割り当てたサブキャリアの配列を通知する情報量を削減するために、あらかじめ設定された数種類の配列の中から最適な配列を選択し、その配列番号を通知することを特徴とする（方式９）。【００５４】
また、前記方式８のデータ割り当てサブキャリア選択手段は、受信側にデータを割り当てたサブキャリアの配列を通知する情報量を削減するために、そのフレーム内の各スロットで用いる配列の組み合わせをあらかじめ数種類設定しておき、その中から最適な組み合わせを選択し、第１スロットでその組み合わせ番号を通知することを特徴とする（方式１０）。
【発明の効果】
【００５５】
本発明によれば、ＭＬＩの復調が成功する確率を向上させることができ、システム全体としてのデータ伝送効率の低下を避けることができるという利点がある。
【図面の簡単な説明】
【００５６】
【図１】本発明の第１の実施の形態によるＭＬＩ復調部の構成を示すブロック図である。
【図２】本発明の第１の実施の形態によるベクトル加算処理動作の流れを示すフローチャート図である。
【図３】本発明の第２の実施の形態によるＭＬＩ復調部の構成例を示すブロック図である。
【図４】本発明の第３の実施の形態によるＭＬＩ復調部の構成例を示すブロック図である。
【図５】本発明の第３の実施の形態による多数決判定処理動作の流れを示すフローチャート図である。
【図６】本発明の第３の実施の形態による多数決判定処理の一例を示す図である。
【図７】本発明の第４の実施の形態によるＭＬＩ変調部の構成例を示すブロック図である。
【図８】本発明の第４の実施の形態によるＭＬＩ復調部の構成例を示すブロック図である。
【図９】本発明の第５の実施の形態によるＭＬＩ変調部の構成例を示すブロック図である。
【図１０】本発明の第５の実施の形態によるＭＬＩ復調部の構成例を示すブロック図である。
【図１１】本発明の第６の実施の形態によるデータ割り当て方法を示す図である。
【図１２】本発明の第７の実施の形態によるＯＦＤＭ／ＭＴＰＣ変調回路の構成例を示すブロック図である。
【図１３】本発明の第７の実施の形態によるデータ並べ替え部の構成例を示すブロック図である。
【図１４】本発明の第７の実施の形態によるスロットフォーマットの例を示す図である。
【図１５】本発明の第７の実施の形態によるデータ並べ替え処理動作の流れを示すフローチャート図である。
【図１６】従来の並べ替え方式におけるＭＬＩシンボル対サブキャリアの対応表である。
【図１７】本発明の第８の実施の形態によるＭＬＩシンボル対サブキャリアの対応表である。
【図１８】本発明の第９の実施の形態によるスロット対並べ替え方式組み合わせの対応表である。
【図１９】従来の直交周波数分割多重システムにおけるスペクトル
【図２０】サブキャリア送信電力制御方式を用いた直交周波数分割多重システムにおけるスペクトルである。
【図２１】適応変調方式を用いた直交周波数分割多重システムにおけるスペクトルである。
【図２２】マルチレベル送信電力制御方式を用いた直交周波数分割多重システムにおけるスペクトルである。
【図２３】マルチレベル送信電力制御方式を用いた直交周波数分割多重システムにおけるフレームフォーマットを示す図である。
【図２４】従来のマルチレベル送信電力制御方式を用いた直交数周波数分割多重システムの通信機である。
【発明を実施するための最良の形態】
【００５７】
まず、本発明の第１の実施の形態による送受信装置について図面を参照しつつ説明を行う。図１は、本実施の形態によるＭＬＩ復調部の構成例を示す図である。図１に示すように、ＭＬＩ復調部１００は、デマルチプレクサ２１４から出力されるＭＬＩシンボル部をベクトル加算するＭＬＩベクトル加算部１０１と、シンボル復調回路２１８の出力信号から、誤り検出符号などにより誤りを検出する誤り検出回路１０５と、を備えている。【００５８】
ＭＬＩベクトル加算部１０１は、デマルチプレクサ２１４の出力と記憶回路１０３の出力とをベクトル加算するベクトル加算回路１０２と、ベクトル加算回路１０２の出力を保存する記憶回路１０３と、デマルチプレクサ２１４の出力とベクトル加算回路１０２との出力を切り替える切替回路１０４と、を含んで構成される。【００５９】
図２は、ベクトル加算処理の流れを示すフローチャート図である。図１を参照しつつ、図２のフローチャート図に沿って、ＭＬＩ変調後の第Ｎスロットを受信した際のベクトル加算処理の動作について説明を行う。復調動作開始時は、切替回路１０４はデマルチプレクサ２１４の出力信号を出力するように設定されている。【００６０】
まず、ステップＳ１において、第Ｎスロットを受信し、受信した第ＮスロットのＭＬＩを復調する（ステップＳ２）。誤り検出回路１０２で、ＭＬＩが正しく復調できたか否かを判定する（ステップＳ３）。ステップＳ３の判定の結果、ＭＬＩの復調に失敗したと判定されたとき、切替回路１０４をベクトル加算回路１０２側に切り替える（ステップＳ４）。【００６１】
ベクトル加算回路１０２は、デマルチプレクサ２１４から出力される第ＮスロットのＭＬＩシンボル部と、記憶回路１０３に保存されている第１スロットから第（Ｎ−１）スロットまでのＭＬＩシンボル部のベクトル加算結果と、をベクトル加算する（ステップＳ５）。【００６２】
記憶回路１０３は、ベクトル加算回路１０２から出力される第１スロットから第ＮスロットまでのＭＬＩシンボル部のベクトル加算結果を保存する（ステップＳ６）。ベクトル加算結果を復調する（ステップＳ７）。切替回路１０４をマルチプレクサ２１４の方に切り替える（ステップＳ８）。誤り検出回路１０５において、ベクトル加算結果が正しく復調できたか否かを判定する（ステップＳ９）。【００６３】
ステップＳ９の判定の結果、ベクトル加算結果の復調に失敗したと判定されたときは、ステップＳ１に戻り、次の第（Ｎ＋１）スロットを受信する。以降、上記の規則に則って動作する。ステップＳ３及びステップＳ９の判定の結果、復調に成功したと判定されたときは、記憶回路１０３に保存されているデータを破棄する（ステップＳ１０）。ＭＬＩの復調に成功した場合には、同一フレーム内のスロットのユーザデータは、そのＭＬＩを用いて復調する。次のフレームを受信するとき、再び上記の方法でＭＬＩの復調を行う。【００６４】
上記の技術を用いると、同一フレーム内の各スロットのＭＬＩは同じであるのに対して、それらのスロットに含まれる雑音成分には相関がない。そのため、ベクトル加算をすると希望信号電力の方だけを強めることができ、ＳＮＲを改善することができる。【００６５】
次に、本発明の第２の実施の形態による復調技術について説明を行う。図３は、本実施の形態によるＭＬＩ復調部１０６の構成例を示す図である。ＭＬＩ復調部１０６において、ＭＬＩベクトル加算部１０７は、伝搬路補償回路２１７から出力されるＭＬＩシンボル部をベクトル加算する。伝搬路は時間とともに変化するため、各スロットが伝搬路で受ける位相回転量は異なる。本実施の形態による復調部は、伝搬路補償回路で位相の回転を補償してからベクトル加算するため、第１の実施の形態に比べて希望信号を効率良く加算することができ、ＳＮＲの改善量が大きいという利点がある。【００６６】
次に、本発明の第３の実施の形態による復調部について図面を参照しつつ説明を行う。図４は、本実施の形態によるＭＬＩ復調部１０８の構成例を示す図である。このＭＬＩ復調部１０８は、シンボル復調されたＭＬＩを多数決により判定する多数決判定部１０９を備えている。【００６７】
多数決判定部１０９は、シンボル復調回路２１８の出力と記憶回路１１１の出力とを多数決により判定する多数決判定回路１１０と、シンボル復調回路２１８の出力を保存する記憶回路１１１と、シンボル復調回路２１８の出力と多数決判定回路１１０の出力とを切り替える切替回路１１２と、を含んで構成される。【００６８】
図５は、多数決判定処理動作の流れを示すフローチャート図である。図５に示すフローチャート図に沿って、第Ｎスロットを受信した場合の多数決判定処理の流れを説明をする。復調動作開始時は、切替回路１１２はシンボル復調回路出力信号２１８を出力するように設定されている。【００６９】
まず、ステップＳ１１において、第Ｎスロットを受信する。次いで、ステップＳ１２において、受信した第ＮスロットのＭＬＩを復調する。誤り検出回路１０５で、ＭＬＩが正しく復調できたか否かを判定する（ステップＳ１３）。ステップＳ１３の判定の結果、ＭＬＩの復調に失敗したと判定された場合には、スロット番号Ｎが偶数か奇数かを判定する（ステップＳ１４）。ステップＳ１４の判定を行うことにより、Ｎが偶数のときに正しく復調できたスロットと誤ったスロットとが同数となり多数決による判定ができなくなるため、その状況を避ける意味がある。ステップＳ１４の判定の結果、Ｎが偶数であった場合は、ステップＳ１１に戻り、次の第（Ｎ＋１）スロットを受信する。Ｎが奇数であったとき、切替回路１１２を多数決判定回路１１０の方に切り替える（ステップＳ１５）。多数決判定回路１１０は、シンボル変調回路２１８から出力される第ＮスロットのＭＬＩと、記憶回路１１１に保存されている第１スロットから第（Ｎ−１）スロットまでのＭＬＩとの各ビットを多数決判定する（ステップＳ１６）。例として、第１から第７までの７スロット分の多数決判定の方法について図６を参照して説明する。【００７０】
記憶回路１１１は、シンボル復調回路２１８から出力されるＭＬＩを追加保存し（ステップＳ１７）、多数決判定結果を復調する（ステップＳ１８）。次いで、切替回路１１２をシンボル復調回路２１８の方に切り替え（ステップＳ１９）、誤り検出回路１０５で、多数決判定結果が正しく復調できたか判定する（ステップＳ２０）。ステップＳ２０の判定の結果、多数決判定結果の復調に失敗したと判定された場合には、ステップＳ１１に戻って第（Ｎ＋１）スロットを受信する。以降、上記の規則に沿って動作が行われる。ステップＳ１３およびステップＳ２０の判定の結果、復調に成功したと判定されたとき、記憶回路１１１に保存されているデータを破棄する（ステップＳ２１）。ＭＬＩの復調に成功した場合には、同一フレーム内のスロットのユーザデータは、そのＭＬＩを用いて復調する。次のフレームを受信する際、再び、上記の方法によりＭＬＩの復調を行う。【００７１】
尚、図６では、全ての場合において復調が成功したと判定されている。【００７２】
このように、多数決判定を行うことにより、雑音等でランダムな位置に現れる誤りを訂正することができるという利点がある。【００７３】
次に、本発明の第４の実施の形態による変調部について図面を参照しつつ説明する。図７は、本実施の形態によるＭＬＩ変調部１１３の構成例を示す図である。ＭＬＩ変調部１１３は、ＭＬＩ生成回路２３０と、ＭＬＩ生成回路２３０から出力されるビット列を並べ替えるデータ並べ替え回路１１４と、シンボル変調回路２３１と、送信電力制御回路２３２と、ＩＦＦＴ回路２３３と、を備える。ＩＦＦＴ回路２３３からマルチプレクサに対して信号が出力される。図８は、本実施の形態によるＭＬＩ復調部１１５の構成例を示す図である。ＭＬＩ復調部１１５は、上記第３の実施の形態によるＭＬＩ復調部１０８の構成に加えて、シンボル復調されてビット列となったＭＬＩを送信時とは逆の手順で並べ替えて元の順序に戻すデータ並べ替え回路１１６を備える。【００７４】
ＭＬＩは基本情報であるため、ＳＮＲが悪いサブキャリアがある場合でもキャリアホールを設定することができず、全てのサブキャリアで伝送しなければならない。そのため、再送してもそのサブキャリアで伝送されたＭＬＩシンボルの誤りが原因となってＭＬＩの復調に失敗する可能性が高い。そこで、本実施の形態においては、スロット毎にＭＬＩのビット列を並べ替えて送信を行う。ＳＮＲの低いサブキャリアで伝送されるビットがスロット毎に異なるため、復調して元の順序に並べ替えると、誤りビットの現れる位置がスロット毎に異なる。従って、多数決判定の誤り訂正能力は、このような誤りに対して非常に優れているため、ＭＬＩの復調成功確率を向上させることができるという利点がある。【００７５】
次に、本発明の第５の実施の形態による変復調部について図面を参照しつつ説明を行う。図９は、本実施の形態によるＭＬＩ変調部１１７の構成例を示す図である。図９に示すように、本実施の形態によるＭＬＩ変調部１１７は、シンボル変調回路２３１からの出力を並べ替えるデータ並べ替え回路１１８を備える点を特徴とする。図１０は、本実施の形態によるＭＬＩ復調部１１９の構成例を示す図である。ＭＬＩ復調部１１９は、第２の実施の形態によるＭＬＩ復調部１０６の構成に加えて、伝搬路補償されたＭＬＩシンボルを送信時とは逆の手順で並べ替えて元の順序に戻すデータ並べ替え回路１２０を備えている。本発明の第２の実施の形態においては、伝搬路特性の落ち込みなどでＳＮＲが極端に低いサブキャリアがある場合には、数スロットにわたりそのサブキャリアで伝送されたＭＬＩシンボルのＳＮＲが悪いため、ベクトル加算を行ってもそのＭＬＩシンボルのＳＮＲの改善量は小さく、ＭＬＩ復調成功確率のボトルネックとなってしまう。【００７６】
そこで、本実施の形態では、スロット毎にＭＬＩシンボルを異なるサブキャリアに割り当てて送信を行うことにより、特定のＭＬＩシンボルのＳＮＲが低くなることを避けることができ、ＭＬＩ復調成功確率を向上させることができるという利点がある。【００７７】
次に、本発明の第６の実施の形態による変復調部について図面を参照しつつ説明を行う。図１１は、本実施の形態におけるサブキャリア本数を３２本とした場合の、割り当て方法を示す図である。図１１に示すｄ１〜ｄ３２までは、ＭＬＩシンボルである。また、サブキャリア番号をＳＣ１〜ＳＣ３２とする。第２スロットを送信するときの並べ替え方式は、以下の通りである。【００７８】
（１）サブキャリアをＳＣ１〜ＳＣ１６とＳＣ１７〜ＳＣ３２の２つのブロックに分け、それぞれ第１ブロック、第２ブロックとする。【００７９】
（２）第１スロットを送信するときに第１ブロックで送信されたＭＬＩシンボルを、第２ブロックに割り当てる。【００８０】
（３）第１スロットを送信するときに第２ブロックで送信されたＭＬＩシンボルを第１ブロックに割り当てる。【００８１】
第３スロットを送信するときの並べ替え方式は、以下の通りである。【００８２】
（１）サブキャリアをＳＣ１〜ＳＣ８、ＳＣ９〜ＳＣ１６、ＳＣ１７〜ＳＣ２４、ＳＣ２５〜ＳＣ３２の４つのブロックに分け、それぞれ第１ブロック、第２ブロック、第３ブロック、第４ブロックとする。【００８３】
（２）第２スロットを送信するときに第１ブロックで送信されたＭＬＩシンボルを、第２ブロックに割り当てる。【００８４】
（３）第２スロットを送信するときに第２ブロックで送信されたＭＬＩシンボルを、第１ブロックに割り当てる。【００８５】
（４）第２スロットを送信するときに第３ブロックで送信されたＭＬＩシンボルを、第４ブロックに割り当てる。【００８６】
（５）第２スロットを送信するときに第４ブロックで送信されたＭＬＩシンボルを、第３ブロックに割り当てる。【００８７】
以降、第３スロットでは８個のブロックに分割し、第４スロットでは１６個のブロックに分割し、同様にＭＬＩシンボルを割り当てる。ブロックに分割するときに等分できない本数の場合は、余りのサブキャリアをいずれかのブロックに帰属させる。本実施の形態においては、サブキャリア本数を等分してブロックに分割し、それらのブロックを２つずつの組にして割り当てるＭＬＩシンボルの入れ替えを行ったが、同様の効果が得られる並べ替え方式であれば上述の手法に限定されるものではない。【００８８】
近接するサブキャリアが受ける伝搬路特性には相関があるため、近接するサブキャリアにＭＬＩシンボルを割り当てたとしても、受ける伝搬路特性に大きな変化がない。第５の実施の形態の目的は、特定のＭＬＩシンボルのＳＮＲが低くなるのを避けることであるから、相関がないサブキャリアに割り当てるのが望ましい。上述の並べ替え方式は、全てのＭＬＩシンボルを以前のスロットで用いたサブキャリアから離れたサブキャリアに割り当て、早期にＭＬＩの復調を成功させることができるという利点がある。【００８９】
次に、本発明の第７の実施の形態について図面を参照しつつ説明を行う。本実施の形態は、第５の実施の形態によるデータ並べ替え回路で行うＭＬＩシンボルの並べ替え方式の一つであり、伝搬路推定結果に基づいて並べ替えを行うことを特徴とする。【００９０】
図１２は、本実施の形態によるＯＦＤＭ／ＭＴＰＣ変調回路１２１の構成例を示す図である。ＯＦＤＭ／ＭＴＰＣ変調回路１２１は、ＯＦＤＭ／ＭＴＰＣ復調回路２０９（図２４）の伝搬路推定回路２１６（図２４）の各サブキャリアに対する伝搬路推定結果に基づき、データ並べ替え回路のデータの並べ替え方式を指定するデータ並べ替え指定部１２２と、データ並べ替え指定部１２２で決定された並べ替え方式に基づき、Ｓｉｇｎａｌを生成するシグナル（ｓｉｇｎａｌ）生成回路１２３と、シグナル生成回路１２３において生成された信号を変調するシンボル変調回路１２４と、シンボル変調回路１２４の変調信号出力をサブキャリア毎に変調方式送信電力指定回路２２５で決定された値に調整する送信電力制御回路１２５と、送信電力制御回路１２５の出力を逆フーリエ変換するＩＦＦＴ回路１２６と、データ並べ替え指定信号に基づき、データを並べ替えるデータ並べ替え回路１２７と、を含んで構成される。【００９１】
図１３は、データ並べ替え指定部１２２の構成例を示す図である。図１３に示すように、データ並べ替え指定部１２２は、ＯＦＤＭ／ＭＴＰＣ復調回路２０９（図２４）の伝搬路推定回路２１６（図２４）から出力される伝搬路推定結果のサブキャリア毎の電力を計算する電力計算回路１２８と、電力計算回路１２８の出力信号をサブキャリア順からデータ順に並べ替えるデータ並べ替え回路１２９と、データ並べ替え回路１２９の出力信号と記憶回路１３１の出力信号を加算する加算回路１３０と、加算回路１３０の出力信号を保存する記憶回路１３１と、加算回路１３０の出力信号と電力計算回路１２８の出力信号よりＭＬＩシンボルの並べ替え方式を指定するデータ並べ替え指定回路１３２と、を含んで構成される。【００９２】
本実施の形態におけるフレームフォーマットを図１４に示す。ＣＥサブフレーム２０５の後ろに、ＭＬＩシンボルの並べ替え順序を通知するためのＳｉｇｎａｌサブフレーム１３３が挿入されている。データ並べ替え指定回路１３２は、内部にサブキャリア番号とＭＬＩシンボル番号を対応させたテーブルを持っている。サブキャリア番号欄には、現時点の伝搬路推定結果の電力が大きいサブキャリアから順番にそのサブキャリア番号を書き込み、ＭＬＩシンボル番号欄は、それまで送信したスロットの送受信電力が小さいと推定されるＭＬＩシンボルから順番にそのＭＬＩシンボル番号を書き込む。データ並べ替え指定回路１３２は、ＭＬＩシンボルをテーブル上で対応するサブキャリアに割り当てるように並べ替え方式を指定する。テーブルはスロットを送信する毎に順次更新される。【００９３】
図１５は、データ並べ替え指定部の動作の流れを示すフローチャート図である。このフローチャート図に沿って、第Ｎスロット送信時のデータ並べ替え指定部１２２の動作について説明する。電力計算回路１２８は、ＯＦＤＭ／ＭＴＰＣ復調回路２０９（図２４）の伝搬路推定回路２１６（図２４）から出力される最新の伝搬路推定結果を第Ｎスロット送信時の伝搬路推定結果とし、そのときのサブキャリア毎の伝搬路推定結果の電力を計算する（ステップＳ３１）。伝搬路推定結果の電力が大きい順にサブキャリアを並べ替え、そのサブキャリア番号をテーブルに書き込む（ステップＳ３２）。データ並べ替え指定回路１３２は、ＭＬＩシンボルをテーブル上で対応するサブキャリアに割り当てるように並べ替え方式を指定する（ステップＳ３３）。データ並べ替え回路２３１は、データ並べ替え指定信号に従ってＭＬＩシンボルを並べ替える（ステップＳ３４）。データ並べ替え回路１２９は、データ並べ替え指定信号に従って、伝搬路推定結果の電力を並べ替える。このことは、第Ｎスロット送信時の伝搬路推定結果の電力をＭＬＩシンボル順に並べ替えたことに相当する（ステップＳ３５）。加算回路１３０は、データ並べ替え回路１２９から出力される第Ｎスロット送信時の伝搬路推定結果の電力と、記憶回路１３１から出力される第（Ｎ−１）スロットまでの受信電力推定値の総和を加算する（ステップＳ３６）。記憶回路１３１は、加算回路１３０の出力信号を第Ｎスロットまでの受信電力推定値の総和として保存する（ステップＳ３７）。受信電力推定値の総和が小さい順にＭＬＩシンボルを並べ替え、そのＭＬＩシンボル番号をテーブルに書き込む（ステップＳ３８）。フレーム処理が完了したか判定する（ステップＳ３９）。ステップＳ３９の結果、フレーム処理が完了していないと判定されたときは、Ｓ３１に戻って第（Ｎ＋１）スロットの送信準備をする。以降、上記の規則に沿って動作する。ステップＳ３９の結果、フレーム処理が完了したと判定されたときには、記憶回路１３１の保存されているデータを破棄するとともに、テーブルを初期値に戻す（リセット：ステップＳ４０）。【００９４】
上記の方法によれば、伝搬路推定結果に基づき並べ替えを行っているため、特定のＭＬＩシンボルのＳＮＲが低くなるという状況を確実に回避することができる。また、並べ替え方式について細かく制御できるため、効率良くＳＮＲの底上げをすることができるという利点がある。【００９５】
次に、本発明の第８の実施の形態による変復調部について図面を参照しつつ説明を行う。尚、本実施の形態は、第７の実施の形態における並べ替え方式の一種であり、並べ替え通知情報量を削減する並べ替え方式に関する。本実施の形態では、サブキャリア本数を３２本とする。【００９６】
まず、一般的な並べ替え順序通知情報の一例として、第１サブキャリアに割り当てられたＭＬＩシンボルから順番に、前のスロットで割り当てられていたサブキャリア番号を記述していくものとする。サブキャリア本数が３２本であると、サブキャリア番号を表すのに５ビット必要であり、それがサブキャリア本数の３２本分あるため、並べ替え順序通知情報は、５×３２＝１６０（ビット）が必要となる。このときの並べ替え順序通知情報の一例を図１６に示す。左から、第１スロット送信時、第２スロット送信時、第３スロット送信時のサブキャリア番号とデータ番号との対応を示している。【００９７】
本実施の形態においては、予め並べ替え方式として図１７に示す１〜８までの８種類の並べ替え方式が設定されており、この並べ替え方式は受信側においても既知であるものとする。第７の実施の形態では、ＭＬＩシンボルをテーブル上の対応するサブキャリアに割り当てるようにデータ並べ替えを行っていたが、本実施の形態においては、作成したテーブルを考慮した上で、設定した８種類の並べ替え方式の中から最適な並べ替え方式を選択し、その並べ替え方式に従って並べ替えを行う。サブキャリア並べ替え順序通知情報としては、表中に示した３ビット（図１７における、“０００”、“００１”…“１１１”で表される）の並べ替え方式番号を送信すればよく、並べ替え順序通知情報を大幅に削減することができるという利点がある。【００９８】
次に、本発明の第９の実施の形態による変復調部について図面を参照しつつ説明を行う。本実施の形態は、第８の実施の形態における並べ替え方式の一種であり、並べ替え通知情報量を削減する並べ替え方式である。本実施の形態では、サブキャリア本数を３２本、１０スロットで１フレームとする。本実施の形態に関しては、第１スロットから第１０スロットまでの各スロットで行う並べ替え方式の組み合わせとして図１８に示すように８種類が設定されており、この並べ替え方式は受信側でも既知であるものとする。尚、図１８中のマトリックス内に記載されている１〜８までの番号は、図１７に示す並べ替え方式番号１〜８までのいずれかに対応している。並べ替え方式指定回路は、フレーム時間内では伝搬路の変動は微小であると仮定して、第１スロット送信時に、伝搬路推定結果を鑑みた上で、設定した８種類の並べ替え方式の組み合わせの中から最適な並べ替え方式の組み合わせを選択する。サブキャリア並べ替え順序通知情報としては、図中に示した３ビットの並べ替え方式の組み合わせ番号を第１スロットのときのみ送信すればよく、並べ替え順序通知情報を大幅に削減することができるという利点がある。【００９９】
以上、各実施の形態によるＯＦＤＭ通信装置について、具体的に説明したが、上記実施の形態に限定されるものではなく、様々な変形が可能であることはいうまでもない。例えば、上記各実施の形態において説明したステップをコンピュータに実行させるためのプログラムも本発明の範疇に入るものである。
【産業上の利用可能性】
【０１００】
高速データ通信などにおけるＳＮＲを大幅に低減することができるため、品質の良好な通信システムを実現することができる。
【図１】
0004287432.tif 000002
【図２】
0004287432.tif 000003
【図３】
0004287432.tif 000004
【図４】
0004287432.tif 000005
【図５】
0004287432.tif 000006
【図６】
0004287432.tif 000007
【図７】
0004287432.tif 000008
【図８】
0004287432.tif 000009
【図９】
0004287432.tif 000010
【図１０】
0004287432.tif 000011
【図１１】
0004287432.tif 000012
【図１２】
0004287432.tif 000013
【図１３】
0004287432.tif 000014
【図１４】
0004287432.tif 000015
【図１５】
0004287432.tif 000016
【図１６】
0004287432.tif 000017
【図１７】
0004287432.tif 000018
【図１８】
0004287432.tif 000019
【図１９】
0004287432.tif 000020
【図２０】
0004287432.tif 000021
【図２１】
0004287432.tif 000022
【図２２】
0004287432.tif 000023
【図２３】
0004287432.tif 000024
【図２４】
0004287432.tif 000025